(57)【特許請求の範囲】
【請求項１】
（Ａ）：対面する一対の山留壁を地中に構築する工程と、
（Ｂ）：前記一対の山留壁の間の地盤を掘削するとともに、前記地盤の掘削に伴って露出する前記山留壁を支える複数の支保工を順次設置し且つ前記複数の支保工として切梁とアンカーとを併用する工程と、
（Ｃ）：前記（Ｂ）工程の前記地盤の掘削完了後、前記一対の山留壁の間の空間に、底版を有する躯体を構築する工程と、
を含み、
前記（Ｃ）工程において盛替梁の設置作業が不要になるように、前記（Ｂ）工程において前記盛替梁を設置すべき高さにおいて前記山留壁を前記アンカーで支えるとともに、前記アンカーのアンカーヘッドよりも下方に少なくとも１つの前記切梁を設置する、躯体構築方法。
【請求項２】
前記切梁がＨ鋼であり、
前記（Ｃ）工程において、作業の妨げとなる前記Ｈ鋼を撤去した後、他の場所に改めて前記盛替梁としてのＨ鋼を設置する作業を実施しない、請求項１に記載の躯体構築方法。
【請求項３】
（Ｄ）：前記躯体の側面と前記山留壁との間にコンクリートの梁を形成する工程を更に含む、請求項１又は２に記載の躯体構築方法。
【請求項４】
（Ｅ）：前記躯体の側面と前記山留壁との間に地盤材料を充填する工程を更に含む、請求項１〜３のいずれか一項に記載の躯体構築方法。
【請求項５】
前記躯体は前記山留壁の延在方向に延びる函体構造である、請求項１〜４のいずれか一項に記載の躯体構築方法。
【発明の詳細な説明】
【技術分野】
【０００１】
本発明は山留掘削工法及びこれによって形成された空間に躯体を構築する躯体構築方法に関する。
【背景技術】
【０００２】
ある程度の深さと広さを有する空間を掘削によって地盤に形成する場合、掘削に伴って周りの地山が崩れないように事前に山留壁を地中に構築する。特許文献１は山留壁を有するシールド発進立坑１を開示するとともに、腹起し３及び土留アンカー４によって山留壁を支持する態様を開示する。
【先行技術文献】
【特許文献】
【０００３】
【特許文献１】特開２０００−２３４４９３号公報
【発明の概要】
【発明が解決しようとする課題】
【０００４】
特許文献１の段落[０００６]には「グランドアンカーを用いる構成としているため、立坑内に切梁を設ける必要がなく、作業スペースが確保」できることが記載されている。切梁は対面する一対の山留壁の間、つまり掘削した空間内に水平方向に設置される梁である。アンカー（グランドアンカー）は山留壁の背面の地盤内に設置されたアンカー体と山留壁とを鋼線によって緊結することによって山留壁を支えるものである。
【０００５】
設置に伴う作業コストの観点から切梁とアンカーとを比較すると、切梁の方がアンカーよりもコストを抑えることができる点で優れている。一方、躯体を構築するための作業スペース確保の観点ではアンカーの方が切梁よりも優れている。切梁は、上述のとおり、掘削した空間内に設置されるため、その後の作業の妨げとなる場合がある。例えば、掘削によって空間を形成した後、この空間内に躯体を下方から徐々に構築していく場合、下方に位置する切梁がそのまま設置された状態では躯体構築作業の妨げとなる。そこで、下方の切梁から順次撤去し、これによって作業スペースを確保しながら躯体の構築が進められる。
【０００６】
作業の妨げとなる切梁を撤去した後、山留壁に加わる土圧や地下水圧に対する十分な反力を確保するために他の場所に改めて切梁を設置する場合がある。この作業は「盛替え」と称され、これによって設置される切梁は「盛替梁」と称される。工事の規模によっては切梁の盛替え作業に一作業箇所あたり十日程度要することもあり、この作業は工期短縮の実現を妨げる要因の一つとなっている。
【０００７】
本発明は、対面する一対の山留壁の間を掘削することによって空間を形成した後、この空間に躯体を構築する一連の工事において十分な工期短縮を実現できる躯体構築方法を提供するとともに、上記工事の工期短縮に有用な山留掘削工法を提供することを目的とする。
【課題を解決するための手段】
【０００８】
本発明に係る躯体構築方法は、（Ａ）：対面する一対の山留壁を地中に構築する工程と、（Ｂ）：上記一対の山留壁の間の地盤を掘削するとともに、地盤の掘削に伴って露出する山留壁を支える複数の支保工を順次設置する工程と、（Ｃ）：上記（Ｂ）工程の地盤の掘削完了後、上記一対の山留壁の間の空間に躯体を構築する工程とを含み、複数の支保工として、切梁とアンカーとを併用する。ここでいう「支保工」とは土圧や地下水圧によって山留壁が倒れたり変形したりしないように山留壁を支持するための部材を意味し、切梁及びアンカーの両方を含むものである。
【０００９】
上記躯体構築方法によれば、（Ｂ）工程において使用する支保工として切梁とアンカーとを併用することで、その後の（Ｃ）工程の躯体構築作業において切梁の盛替え作業の回数を必要最小限とすることができ、より好ましくは（Ｃ）工程において切梁の盛替え作業を実施しない態様を実現できる。これにより、躯体を構築する工事の工期を十分に短縮することができる。
【００１０】
本発明者らの検討によれば、（Ｃ）工程において、山留壁に対する反力の付与に構築中の躯体自体を利用できる箇所と、利用できない箇所がある。例えば、躯体の底版が空間の底面のほぼ全体に広がって構築される場合、この底版を利用して山留壁を支持することができる。このため、当該箇所及びこの近傍には盛替梁を設置しなくてもよい。これに対し、例えば、躯体の底版の縁部から上方に延びる側壁を構築した段階においては、側壁の横方向の強度の観点から、通常、側壁のみで山留壁を支持することは好ましくない。このため、従来であれば側壁の内側に盛替梁を設置し、盛替梁と側壁を利用して山留壁を支持する必要があった（図１４（ｂ）参照）。これに対し、山留壁の当該箇所を掘削時にアンカーで事前に支持しておくことで、躯体構築時において当該箇所に盛替梁を設置する作業を不要にすることができる。これを裏から捉えれば、（Ｃ）工程において盛替梁の設置作業が不要になるように、盛替梁を設置すべき高さにおいて山留壁をアンカーで支えればよい。
【００１１】
上記躯体構築方法は、（Ｄ）：躯体の側面と山留壁との間にコンクリートの梁を形成する工程を更に含んでもよい。躯体の構築に伴って当該箇所にコンクリートの梁を形成することで、このコンクリートの梁と躯体自体とを利用して山留壁を支持することができる。このコンクリートの梁は「盛替えコンクリート」とも称される。
【００１２】
上記躯体構築方法は、（Ｅ）：躯体の側面と山留壁との間に地盤材料を充填する工程を更に含んでもよい。当該箇所に地盤材料（土、砂、コンクリート、流動化材など）を充填することで躯体とその周りの地盤との隙間をなくすことができる。なお、（Ｂ）工程における掘削によって発生した地盤材料で当該隙間を埋め戻してもよい。また、山留壁は最終的に撤去されてもよいし、そのまま残存していてもよい。
【００１３】
上記躯体構築方法によって構築する躯体の一例として、山留壁の延在方向に延びる函体構造（より具体的には、道路、鉄道、水路、地下埋設洞道およびその他暗渠など）が挙げられる。構築する躯体がある程度の長さ（例えば５０ｍ以上）を有する場合、本発明による工期短縮の効果がより顕著となる。
【００１４】
本発明に係る山留掘削工法は、（Ａ）：対面する一対の山留壁を地中に構築する工程と、（Ｂ）：上記一対の山留壁の間の地盤を掘削するとともに、地盤の掘削に伴って露出する山留壁を支える複数の支保工を順次設置する工程とを含み、複数の支保工として、切梁とアンカーとを併用する。
【００１５】
上記山留掘削工法は、（Ｂ）工程において使用する支保工として切梁とアンカーとを併用するため、（Ｂ）工程の掘削によって形成した空間に躯体を構築する作業において切梁の盛替え作業の回数を必要最小限とすることができ、より好ましくは切梁の盛替え作業を実施しない態様を実現できる。つまり、上記山留掘削工法は、対面する一対の山留壁の間を掘削することによって空間を形成した後、この空間に躯体を構築する一連の工事の工期短縮に有用である。
【発明の効果】
【００１６】
本発明によれば、対面する一対の山留壁の間を掘削することによって空間を形成した後、この空間に躯体を構築する一連の工事において十分な工期短縮を実現できる。
【図面の簡単な説明】
【００１７】
【図１】図１は山留掘削工法によって形成された掘削溝内に構築された躯体の一例を示す断面図である。
【図２】図２は図１に示す躯体を上空から見た平面図である。
【図３】図３（ａ）は躯体を構築すべき区画に一対の山留壁を構築した状態を示す断面図であり、図３（ｂ）は一対の山留壁間における地盤の掘削によって露出した山留壁の上部に第１及び第２の切梁を設置した状態を示す断面図である。
【図４】図４（ａ）は図３（ｂ）に示す状態から更に地盤の掘削が進行した状態であって第２の切梁の下方に山留アンカーを設置した状態を示す断面図であり、図４（ｂ）は図４（ａ）に示す状態から更に地盤の掘削が進行した状態であって山留アンカーの下方に第３及び第４の切梁を設置した状態を示す断面図である。
【図５】図５（ａ）は掘削溝の底面上に第１の保護層を敷設した状態を示す断面図であり、図５（ｂ）は第４の切梁を撤去した後、第１の保護層上に第２の保護層を更に敷設した状態を示す断面図である。
【図６】図６（ａ）は山留壁の内面に沿ってそれぞれ外足場を組み立てるとともに、底版を打設するための型枠を組み立てた状態を示す断面図であり、図６（ｂ）は底版を構築した状態を示す断面図である。
【図７】図７（ａ）は盛替えコンクリートの打設及び側部埋戻しを実施した状態を示す断面図であり、図７（ｂ）は盛替えコンクリートの打設によって不要になった第３の切梁を撤去した状態を示す断面図である。
【図８】図８（ａ）は側壁及び支柱を打設するための型枠を組み立てた状態を示す断面図であり、図８（ｂ）は側壁及び支柱を構築した状態を示す断面図である。
【図９】図９（ａ）は第２の切梁を撤去した後、頂版及び支柱を打設するための型枠を組み立てた状態を示す断面図であり、図９（ｂ）は頂版、支柱及び梁を構築した状態を示す断面図である。
【図１０】図１０（ａ）は山留アンカー及び外足場を撤去した状態を示す断面図であり、図１０（ｂ）は側部埋戻し及び盛替えコンクリートの打設を実施した状態を示す断面図である。
【図１１】図１１（ａ）は盛替えコンクリートの打設によって不要になった第１の切梁を撤去した状態を示す断面図であり、図１１（ｂ）は対面する一対の竪壁を頂版上に構築した状態を示す断面図である。
【図１２】図１２（ａ）は図４（ａ）に示す山留アンカーの代わりに切梁を設置した状態を示す断面図であり、図１２（ｂ）は掘削溝内に計五つの切梁で山留壁１Ａ，２Ｂを支持した状態を示す断面図である。
【図１３】図１３（ａ）は底版上に側壁及び支柱を構築した状態を示す断面図であり、図１３（ｂ）は山留アンカーの代わりに設置した切梁の撤去後、構築途中の函体構造内に盛替梁を設置し且つその外側に盛替えコンクリートを打設した状態を示す断面図である。
【図１４】図１４（ａ）は第２の切梁を撤去後、頂版及び梁などを構築した状態を示す断面図であり、図１４（ｂ）は第１の切梁の撤去後、一対の竪壁を頂版上に構築した状態を示す断面図である。
【発明を実施するための形態】
【００１８】
図面を参照しながら、本発明の実施形態について詳細に説明する。ここでは地下に計四車線の高速道路を建設するため、地下に函体構造を構築する工事に本発明を適用する場合を例示するが、本発明の適用範囲はこれに限定されるものではない。
【００１９】
（実施形態）
図１は山留掘削工法によって形成された掘削溝（空間）内に構築された函体構造（躯体）の一例を示す断面図である。図２は図１に示す函体構造１０を上空から見た平面図である。図１，２に示すとおり、函体構造１０は、主な構造として、掘削溝Ｇａの底面上に保護層１０ａ，１０ｂを介して構築された底版１１と、底版１１の両端部からそれぞれ上方に延びている側壁１２Ａ，１２Ｂと、底版１１の中央部から上方に延びている複数の支柱１２Ｃと、函体構造１０の天井を構成する頂版１３と、頂版１３の中央部に設けられた開口部１５と、開口部１５に沿って頂版１３上に設けられた一対の竪壁１６Ａ，１６Ｂとを備える。
【００２０】
底版１１、側壁１２Ａ，１２Ｂ、頂版１３、開口部１５及び竪壁１６Ａ，１６Ｂは、いずれも高速道路の延在方向に延びている。複数の支柱１２Ｃは、高速道路の延在方向に並んで設けられており（図２参照）、計四車線の高速道路を片側二車線ずつ分ける中央分離帯を構成している。開口部１５は換気口の役割を果たす。開口部１５は複数の梁１４によって区切られている。これらの梁１４によって頂版１３の強度が保たれている。
【００２１】
本実施形態においては、函体構造１０を構築するにあたり、支保工として切梁とアンカーとを併用する。より具体的には、支保工として四つの切梁Ｋ１〜Ｋ４と山留アンカーＡとを併用する。本実施形態に係る躯体構築方法は以下の工程を含む。
（Ａ）：対面する一対の山留壁１Ａ，１Ｂを地中に構築する工程。
（Ｂ）：一対の山留壁１Ａ，１Ｂの間の地盤Ｇを掘削するとともに、地盤Ｇの掘削に伴って露出する山留壁１Ａ，１Ｂを支える切梁Ｋ１，Ｋ２、山留アンカーＡ、及び切梁Ｋ３，Ｋ４を順次設置する工程。
（Ｃ）：（Ｂ）工程の地盤Ｇの掘削完了後、掘削溝Ｇａ内に函体構造１０を構築する工程。
以下、各工程について説明する。なお、本実施形態に係る山留掘削工法は上記（Ａ）工程と、上記（Ｂ）工程とを含む。
【００２２】
＜（Ａ）工程＞
図３（ａ）は函体構造１０を構築すべき全区間又はそのうちの一部の区画（例えば、長さ５ｍ〜２０ｍ）に、対面する一対の山留壁１Ａ，１Ｂを構築した状態を示している。山留壁１Ａ，１Ｂの到達深さは、構築すべき躯体のサイズや地下水レベルに応じて設定すればよく、例えば１０ｍ程度〜４０ｍ以上に設定することができる。本実施形態に係る函体構造１０においては山留壁１Ａ，１Ｂの到達深さは約３０ｍである。山留壁１Ａと山留壁１Ｂの離間距離は、構築すべき躯体のサイズに応じて設定すればよく、例えば２０ｍ〜４０ｍ以上に設定することができる。本実施形態に係る函体構造１０においては山留壁１Ａ，１Ｂの離間距離は約３２ｍである。山留壁１Ａ，１Ｂとしては、遮水性を有するものが好ましく、鋼矢板を採用してもよいし、地中連続壁を採用してもよい。
【００２３】
＜（Ｂ）工程＞
図３（ｂ）は地盤Ｇの掘削に伴って露出した山留壁１Ａ，１Ｂの上部に第１の切梁Ｋ１及び第２の切梁Ｋ２を順次設置した状態を示している。切梁Ｋ１，Ｋ２を設置する方法としては、例えば水平切梁工法が挙げられる。切梁Ｋ１，Ｋ２を構成する主な部材として例えばＨ鋼を使用できる。
【００２４】
図４（ａ）は図３（ｂ）に示す状態から更に地盤Ｇの掘削が進行した状態を示している。従来であれば、第２の切梁Ｋ２の下方に次の切梁（図１２に示す切梁Ｋ）を設置するところであるが、本実施形態においては、この段階において切梁の代わりに山留アンカーＡを設置する。高速道路の延在方向に並ぶように山留壁１Ａ，１Ｂに対して複数の山留アンカーＡを設置する。山留アンカーＡは、地中に埋設されるアンカー体ａ１と、山留壁の表面に腹起しを介して設置されるアンカーヘッドａ２と、アンカー体ａ１とアンカーヘッドａ２とを連結する鋼線ａ３とを備え、例えばジャッキ（不図示）によって鋼線ａ３に張力が付与される。山留アンカーＡのタイプは特に制限はないが、山留アンカーＡによる山留壁１Ａ，１Ｂの支持が不要になった段階で鋼線ａ３を撤去できるタイプが好ましい。
【００２５】
図４（ｂ）は図４（ａ）に示す状態から更に地盤Ｇの掘削が進行して掘削作業が完了した状態、つまり掘削溝Ｇａが完成した状態を示している。その過程において、山留アンカーＡの下方に第３の切梁Ｋ３及び第４の切梁Ｋ４が順次設置される。これにより、山留壁１Ａ，１Ｂの延在方向に直交する断面において、高さ方向に切梁と山留アンカーとが併用された状態となる。より具体的には、一対の山留アンカーＡのそれぞれのアンカーヘッドａ２は、上方に位置する切梁Ｋ２と、下方に位置する切梁Ｋ３との間に位置することになる。なお、切梁Ｋ３，Ｋ４を構成する主な部材としては、切梁Ｋ１，Ｋ２と同様、例えばＨ鋼を使用できる。
【００２６】
＜（Ｃ）工程＞
図５（ａ）は掘削溝Ｇａの底面上に第１の保護層１０ａを形成した状態を示している。第１の保護層１０ａは、例えば、基礎砕石及び均しコンクリートを敷設することによって形成することができる。図５（ｂ）は第４の切梁Ｋ４を撤去した後、第１の保護層１０ａ上に第２の保護層１０ｂを更に形成した状態を示している。第２の保護層１０ｂは、例えば、底面防水層及び保護モルタル層を敷設することによって形成することができる。
【００２７】
図６（ａ）は一対の山留壁１Ａ，１Ｂの内面に沿ってそれぞれ外足場２Ａ，２Ｂを組み立てた状態を示している。同図は更に函体構造１０の底版１１を構築する準備が整った状態を示している。すなわち、同図は底版１１（及び側壁１２Ａ，１２Ｂなどの一部）を打設するための型枠１１ａを組み立てた状態を示している。型枠１１ａ内には多数の鉄筋（不図示）が配置されている。型枠１１ａにコンクリートを打設することにより、図６（ｂ）に示すように底版１１が構築される。
【００２８】
図７（ａ）は底版１１の両端と山留壁１Ａ，１Ｂの内面との間に盛替えコンクリート（コンクリートの梁）１７をそれぞれ打設した状態を示している。また、底版１１の両端と山留壁１Ａ，１Ｂの内面との隙間への地盤材料１８の充填（側部埋戻し）を実施する。地盤材料１８の具体例としては、土、砂、コンクリート、流動化材などが挙げられる。地盤Ｇの掘削によって発生した地盤材料で側部埋戻しを実施してもよい。底版１１及び盛替えコンクリート１７によって山留壁１Ａ，１Ｂを支持した状態とした後、図７（ｂ）に示すように第３の切梁Ｋ３を撤去する。
【００２９】
図８（ａ）は側壁１２Ａ，１２Ｂ及び支柱１２Ｃを打設するための型枠１２ａ，１２ｂ，１２ｃをそれぞれ組み立てた状態を示している。型枠１２ａ，１２ｂ，１２ｃ内には多数の鉄筋（不図示）がそれぞれ配置されている。型枠１２ａ，１２ｂ，１２ｃにコンクリートを打設することにより、図８（ｂ）に示すように側壁１２Ａ，１２Ｂ及び支柱１２Ｃがそれぞれ構築される。
【００３０】
図９（ａ）は第２の切梁Ｋ２を撤去した後、頂版１３及び梁１４を打設するための型枠１３ａ，１４ａをそれぞれ組み立てた状態を示している。型枠１３ａ，１４ａ内には多数の鉄筋（不図示）がそれぞれ配置されている。型枠１３ａ，１４ａにコンクリートを打設することにより、図９（ｂ）に示すように頂版１３及び梁１４がそれぞれ構築される。
【００３１】
図１０（ａ）は山留アンカーＡ及び外足場２Ａ，２Ｂを撤去した状態を示している。図１０（ｂ）は側壁１２Ａ，１２Ｂの外面と山留壁１Ａ，１Ｂの内面との隙間への地盤材料１８の充填（側部埋戻し）を実施した後、頂版１３と山留壁１Ａ，１Ｂの内面との間に盛替えコンクリート１９をそれぞれ打設した状態を示している。頂版１３及び盛替えコンクリート１９によって山留壁１Ａ，１Ｂの上部が支持される。
【００３２】
図１１（ａ）は盛替えコンクリート１９の打設によって不要になった第１の切梁Ｋ１を撤去した状態を示している。第１の切梁Ｋ１の設置されている状態では第１の切梁Ｋ１が邪魔で第１の切梁Ｋ１の上方での作業が制約される。第１の切梁Ｋ１の撤去によって頂版１３の上方の作業スペースが十分に確保される。すなわち、第１の切梁Ｋ１の撤去後、頂版１３から上方に延びている一対の竪壁１６Ａ，１６Ｂの構築を実施する（図１１（ｂ）参照）。頂版１３上の溝部に地盤材料１８を充填する作業などを経て図１に示す函体構造１０が構築される。なお、山留壁１Ａ，１Ｂは最終的に撤去されてもよいし、そのまま残存していてもよい。
【００３３】
上記実施形態によれば、（Ｂ）工程において使用する支保工として切梁Ｋ１〜Ｋ４と山留アンカーＡとを併用することで、その後の（Ｃ）工程の函体構造１０の構築作業において切梁の盛替え作業を実施しない態様を実現できる。これにより、躯体を構築する工事の工期を十分に短縮することができる。
【００３４】
（参考形態）
上記実施形態においては、第２の切梁Ｋ２と第３の切梁Ｋ３との間に山留アンカーＡを設置する場合を例示したが、以下、山留アンカーＡの代わりに、切梁Ｋ２などと同様の切梁Ｋを第２の切梁Ｋ２と第３の切梁Ｋ３との間に設置する参考形態について説明する。
【００３５】
図１２（ａ）は図４（ａ）に示す山留アンカーＡの代わりに切梁Ｋを設置した状態を模式的に示す断面図である。図１２（ｂ）は掘削溝Ｇａ内に計五つの切梁で山留壁１Ａ，２Ｂを支持した状態を示す断面図である。図１２（ｂ）は図１２（ａ）に示す状態から更に地盤Ｇの掘削が進行して掘削作業が完了した状態、つまり掘削溝Ｇａが完成した状態を示している。その過程において、切梁Ｋの下方に第３の切梁Ｋ３及び第４の切梁Ｋ４が順次設置される。本参考形態は、図１２（ｂ）に示すように山留壁１Ａ，１Ｂの延在方向に直交する断面において高さ方向に切梁のみが使用されている点において、切梁と山留アンカーとを併用する上記実施形態と相違する（図４（ｂ）参照）。
【００３６】
図１２（ｂ）に示された状態から、上記実施形態と同様にして函体構造１０の下部が構築される（図５〜７参照）。以下、図１３，１４を参照しながら、本参考形態と上記実施形態の相違点について主に説明する。なお、図１３，１４においては図面の簡略化のため、外足場や型枠などの図示は省略した。
【００３７】
図１３（ａ）は底版１１上に側壁１２Ａ，１２Ｂ及び支柱１２Ｃを構築した状態を示している。しかし、本参考形態においては、切梁Ｋが構築途中の函体構造内に存在するため、側壁１２Ａ，１２Ｂ及び支柱１２Ｃの全体を構築することができず、これらの上部はそれぞれ後の工程で別途構築される。すなわち、本参考形態においては、切梁Ｋの設置高さによっては、側壁１２Ａ，１２Ｂ及び支柱１２Ｃをそれぞれ複数の工程で構築する必要が生じる点において、上記実施形態と相違する（図８（ｂ）参照）。
【００３８】
図１３（ｂ）は切梁Ｋの撤去後、構築途中の函体構造内に盛替梁Ｍを設置し且つその外側に盛替えコンクリート１７ａを打設した状態を示している。本参考形態においては、切梁Ｋの撤去後、山留壁１Ａ，１Ｂを支持するための盛替梁Ｍ及び盛替えコンクリート１７ａを設置する必要がある点、及び、盛替えコンクリート１７ａに先立って地盤材料１８による側部埋戻しが実施される点において、上記実施形態と相違する（図８（ｂ）参照）。これに対し、上記実施形態によれば、一対の山留壁１Ａ，１Ｂの間の地盤掘削時に山留アンカーＡで山留壁１Ａ，１Ｂを支持しているため、函体構造１０の構築時において盛替梁Ｍを設置する作業を不要にすることができる（図９参照）。換言すれば、上記実施形態では（Ｃ）工程において盛替梁Ｍの設置作業が不要になるように、盛替梁Ｍを設置すべき高さにおいて山留壁１Ａ，１Ｂを山留アンカーＡで支持している。
【００３９】
図１４（ａ）は第２の切梁Ｋ２を撤去後、頂版１３及び梁１４などを構築した状態を示している。図１４（ａ）に示された状態から、第１の切梁の撤去後、函体構造１０の上部が構築される（図１４（ｂ）参照）。
【００４０】
以上、本発明の実施形態及び参考形態について詳細に説明したが、本発明は上記実施形態に限定されるものではない。例えば、上記実施形態においては、掘削溝Ｇａに函体構造１０を構築することによって地下に高速道路を建設する場合を例示したが、高速道路以外の道路、鉄道、水路、地下埋設洞道及びその他暗渠などの建設に本発明を適用してもよい。
【符号の説明】
【００４１】
１Ａ，１Ｂ…山留壁、２Ａ，２Ｂ…外足場、１０…函体構造（躯体）、１１…底版、１１ａ…型枠、１２Ａ，１２Ｂ…側壁、１２Ｃ…支柱、１２ａ，１２ｂ，１２ｃ，１３ａ，１４ａ…型枠、１３…頂版、１４…梁、１６Ａ，１６Ｂ…竪壁、１７，１７ａ，１９…盛替えコンクリート（コンクリートの梁）、１８…地盤材料、Ｇ…地盤、Ｇａ…掘削溝（空間）、Ａ…山留アンカー（支保工）、Ｋ…切梁（支保工）、Ｋ１…第１の切梁（支保工）、Ｋ２…第２の切梁（支保工）、Ｋ３…第３の切梁（支保工）、Ｋ４…第４の切梁（支保工）、Ｍ…盛替梁（支保工）。
【図１】
0006543176.tif 000002
【図２】
0006543176.tif 000003
【図３】
0006543176.tif 000004
【図４】
0006543176.tif 000005
【図５】
0006543176.tif 000006
【図６】
0006543176.tif 000007
【図７】
0006543176.tif 000008
【図８】
0006543176.tif 000009
【図９】
0006543176.tif 000010
【図１０】
0006543176.tif 000011
【図１１】
0006543176.tif 000012
【図１２】
0006543176.tif 000013
【図１３】
0006543176.tif 000014
【図１４】
0006543176.tif 000015